(57)【要約】  【課題】  本発明は暗いところで巻尺の中間にある２点を容易に照明することができる巻尺を提供することを課題とする。  【解決手段】  巻尺において、巻尺本体を収納するケースと、前記ケースに設けられる光の照射方向が異なる２以上の光源を有する照明装置とを有する。このように光の照射方向の異なる光源を２以上有するので、測定点が２つある場合に、一の光源で巻尺の測定点の一つを照らし他の光源で巻尺の測定点の別の一つを照らすことにより、一度に読み取るべき目盛が照らされるので測定者は容易に目盛を読み取ることができる。【選択図】  図１
2005091064.tif 000002
【特許請求の範囲】
【請求項１】
巻尺本体を収納するケースと、
前記ケースに設けられる光の照射方向が異なる２以上の光源を有する照明装置と
を有する巻尺。
【請求項２】
前記照明装置は、前記ケースから真っ直ぐに引き出された前記巻尺本体を短辺方向に略２分する平面上かつこの巻尺本体の目盛面側に属する線上に沿った光の照射方向を持つ光源が２以上含まれる請求項１に記載の巻尺。
【請求項３】
巻尺本体を収納するケースと、
前記ケースに設けられる線状に光を照射する光源を有する照明装置と
を有する巻尺。
【請求項４】
前記照明装置は、前記巻尺本体の
前記ケースから真っ直ぐに引き出された前記巻尺本体を短辺方向に略２分する平面上かつこの巻尺本体の目盛面側に属する線に沿うように線状に光を照射し得る請求項３に記載の照明装置。
【発明の詳細な説明】
【技術分野】
【０００１】
本発明は照明装置を有する巻尺に関する。
【背景技術】
【０００２】
従来から暗いところで巻尺の目盛を読み取ることができるように巻尺に照明装置をつけることが多数提案されている。このような照明装置を有する巻尺は、多くの場合巻尺の直近の目盛面を照らすものであるが、実際は巻尺本体（メモリの付いたテープ部分）を指で押さえて、その先に位置する巻尺の目盛を読むことが多いためこのような目盛の直近を照らすものは実務上あまり役に立たない。これに対して、下記特許文献１に照明装置の光の照射方向を変えることができる発明が開示されている。この発明によれば巻尺本体の任意の位置を照らすことができるので、指で押さえた先にある目盛も容易に読むことができる。
【特許文献１】実開平４−１１８６０５号公報
【発明の開示】
【発明が解決しようとする課題】
【０００３】
ところで、巻尺で寸法を測る場合には種々の状況があり得る。例えば、図５、図６、図７に示すように巻尺の中間に存在する２点の目盛を読むようなことが実際には頻繁に行われる。このような場合、上記特許文献１に示す発明のように光源の方向を変えることができれば２点を照明することは可能であるが、２点の目盛を読むには光源の方向を少なくとも１回は測定中に変えなければならない。しかし、測定中に光源の方向を変えるのは片手で巻尺のケースを持っているために容易ではない。
そこで、本発明は暗いところで巻尺本体の中間にある２点を容易に照明することができる巻尺を提供することを課題とする。
【課題を解決するための手段】
【０００４】
上記課題を解決するために、本発明は次のような構成を有する。
請求項１に記載の発明は、巻尺本体を収納するケースと、前記ケースに設けられる光の照射方向が異なる２以上の光源を有する照明装置とを有する巻尺である。
請求項２に記載の発明は、前記巻尺において前記照明装置は、前記照明装置は、前記ケースから真っ直ぐに引き出された前記巻尺本体を短辺方向に略２分する平面上かつこの巻尺本体の目盛面側に属する線上に沿った光の照射方向を持つ光源が２以上含まれるものである。
請求項３に記載の発明は、巻尺本体を収納するケースと、前記ケースに設けられる線状に光を照射する光源を有する照明装置とを有する巻尺である。なお、ここで「線状に光を照射する」とは光が円形に対照に広がるのではなく光源を中心とする対向する２方向に偏って光が広がるように光を照射することを意味し、例えば楕円上に光が照射されるような場合が想定される。
請求項４に記載の発明は、請求項３に記載の巻尺において前記照明装置は、前記ケースから真っ直ぐに引き出された前記巻尺本体を短辺方向に略２分する平面上かつこの巻尺本体の目盛面側に属する線に沿うように線状に光を照射し得るものである。
【発明の効果】
【０００５】
請求項１に記載の発明は、光の照射方向の異なる光源を２以上有するので、測定点が２つある場合に、一の光源で巻尺の測定点の一つを照らし他の光源で巻尺の測定点の別の一つを照らすことにより、一度に読み取るべき目盛が照らされるので測定者は容易に目盛を読み取ることができる。
請求項２に記載の発明は、前記ケースから真っ直ぐに引き出された前記巻尺本体を短辺方向に略２分する平面上かつこの巻尺本体の目盛面側に属する線上に沿った光の照射方向を持つ光源が２以上あるので、使用者は巻尺を前記平面内で回転させることで２以上の光源の照射位置が前記巻尺上に沿って変わるので、使用者にとっての操作性が高くなる。
請求項３に記載の発明は、線状に光を照射する光源を有するので、測定点が２つある場合に、巻尺上の２点の測定点をこの線状の光の中に入れることで一度に読み取るべき目盛が照らされるので測定者は容易に目盛を読み取ることができる。
請求項４に記載の発明は、照明装置の光源が前記ケースから真っ直ぐに引き出された前記巻尺本体を短辺方向に略２分する平面上かつこの巻尺本体の目盛面側に属する線に沿うように線状に光を照射し得るので、使用者は巻尺を前記平面内で回転させることで線状の光源の照射範囲が前記巻尺上に位置することになるので、やはり使用者にとっての操作性が高くなる。
【発明を実施するための最良の形態】
【０００６】
以下、本発明の実施の形態について、図面を参照しながら説明する。
図１に実施の形態に係る巻尺Ａの正面図を示し、図２に実施の形態に係る巻尺Ａの側面図を示す。巻尺Ａは巻尺本体１ａを収納するケース１と、ケース１に設けられる照明装置２を有する。照明装置２は４つの光源となる発光ダイオード２ａと、発光ダイオードを保護するカバー２ｂと、図示しないケース内部に収納される前記発光ダイオードを発光させる発光回路と、発光回路に対して電気を供給する電池３を収納する電池ケース２ｃと、発光ダイオードの発光を調整する多段スイッチ２ｄとからなる。
【０００７】
各発光ダイオード２ａは照射方向が前記ケースから真っ直ぐに引き出された前記巻尺本体を短辺方向に略２分する平面上（紙面に平行かつケースの側面視の略対象線を通る面）で、巻尺本体の目盛側Ｙに属する線上に沿った４つの異なる方向を光の照射方向とするものである。また、カバー２ｂは透明かつ巻尺の厚さ方向の光を略平行方向に進むように収束させ、かつ、カバーに沿った方向にやや光を拡散させるレンズが形成されている。これにより、前記４つの発光ダイオード２ａにより照射される光は平面に照射されるとそれぞれの楕円状の照射面が重なることにより、前記ケースから真っ直ぐに引き出された前記巻尺本体を短辺方向に略２分する平面上かつこの巻尺本体の目盛面側に属する線に沿うように線状に光を照射することになる。
多段スイッチ２ａは４段階のスイッチになっており、指で順にスライドさせてスイッチを入れていくことで、巻尺本体の引き出し口に近い方の発光ダイオード２ａから順にスイッチを入れていくことができる。この多段スイッチ２ａは巻尺を持ったときに操作者の人差し指もしくは中指で操作できる位置に設けられている。
【０００８】
次に、以上のような構成を有する巻尺の使用方法について説明する。まず、使用者は図３に示すように親指と人差し指の間に巻尺本体を挟むように持つ。この際、中指が多段スイッチ２ａに触れるようになっている。この状態で、例えば図４に示すように手前側の目盛だけを読むような場合は多段スイッチ２ａを操作して前二つの発光ダイオード２ａのみを点灯させて対象となる目盛を照らして数値を読む。また、図５のように多少距離のある２点間を測定するような場合は、３つの発光ダイオード２ａを点灯させてから、巻尺を測定位置に合わせて読み取るべき２点の目盛を照らすようにこれらの発光ダイオードが照らす光がこの２点を含むようにする。この際、ケース１の傾きを調整することで光の照らす範囲を調整する。読み取るべき２点の目盛が照らされたところで目盛の数値を読む。さらに、図６や図７に示すように測定する距離間が広い場合には４つの発光ダイオード２ａをすべて点灯させて上記と同様の操作を行う。
なお、本実施の形態では光源として発光ダイオードを用いているが、光源は発光ダイオードに限られるものではなく、例えば、電球や有機エレクトロルミネッセンス、冷陰極蛍光管など種々の光源を利用することができる。また、電源としてここでは通常の電池を用いているが二次電池や太陽電池を用いてもよい。さらに、光源の数も４つに限られず、線状の光を拡散させるならば１つでも足りる。
【図面の簡単な説明】
【０００９】
【図１】実施の形態に係る巻尺の正面図である。
【図２】実施の形態に係る巻尺の側面図である。
【図３】実施の形態に係る巻尺の持ち方を示す正面図である。
【図４】実施の形態に係る巻尺の第１の使用例を示す図である。
【図５】実施の形態に係る巻尺の第２の使用例を示す図である。
【図６】実施の形態に係る巻尺の第３の使用例を示す図である。
【図７】実施の形態に係る巻尺の第４の使用例を示す図である。
【符号の説明】
【００１０】
Ａ      巻尺
１      ケース
１ａ    巻尺本体
２      照明装置
２ａ    発光ダイオード
２ｂ    カバー
２ｃ    電池ケース
２ｄ    多段スイッチ
【図１】
2005091064.tif 000003
【図２】
2005091064.tif 000004
【図３】
2005091064.tif 000005
【図４】
2005091064.tif 000006
【図５】
2005091064.tif 000007
【図６】
2005091064.tif 000008
【図７】
2005091064.tif 000009